(57)【特許請求の範囲】
【請求項１】
正面および該正面の両側に配置されたそれぞれの第１および第２エッジ表面を備えたハウジング（１１０）と、該ハウジングによって支持された無線電話通信用トランシーバ（２３０）と、前記ハウジングによって支持され、前記ハウジングの正面に画像をディスプレイするディスプレイ（１２０）とを備えた無線電話（１００）であって、
前記ハウジングにより支持され、前記第１および第２エッジ表面のうちの少なくとも１つに取り付けられた接触感応性ストリップを含み、前記接触感応性ストリップの表面に沿って物体を接触させながら動かすことに応じて出力信号（１５５）を発生する接触感応性トランスジューサ（１５０）と、
前記出力信号に応答自在であり、前記ディスプレイに作動的に関連し、前記接触感応性トランスジューサの前記出力信号に従って前記ディスプレイの軸線に沿って表示された行をスクロールするコントローラ（２２０）と、を備え、
前記コントローラが、前記接触感応性トランスジューサの前記出力信号に従って前記ディスプレイにグラフィカルオブジェクトを選択的にディスプレイするよう構成されており、
前記コントローラが、前記接触感応性トランスジューサに応答自在であって、前記接触感応性トランスジューサの軸線に沿った物体の接触位置を決定するための手段と、
前記接触位置を決定するための手段に応答自在であり、グラフィカルオブジェクトを識別するために前記決定された接触位置に基づき、グラフィカルオブジェクトを選択的にディスプレイするための手段と、を備え、
前記コントローラが、前記ディスプレイまたは前記無線電話通信用トランシーバのうちの少なくとも一方に、複数の動作を実行させるように構成されており、前記複数の動作のうちの１つの動作が、識別されたグラフィカルオブジェクトに関連付けられており、
前記コントローラが、前記接触感応性トランスジューサに応答自在であり、識別されたグラフィカルオブジェクトに関連する動作を開始するための手段を更に含み、
前記動作を開始するための手段が、
前記接触感応性トランスジューサに応答自在であって、前記接触感応性トランスジューサとの瞬間的な接触を検出するための手段と、
前記瞬間的な接触を検出するための手段に応答自在であって、前記識別されたグラフィカルオブジェクトに関連する動作を開始するための手段と、を備え、
前記動作を開始するための手段が、所定の時間間隔内で発生する所定の回数の瞬間的な接触の検出に応答し、動作を開始するための手段を含む、ことを特徴とする無線電話（１００）。
【請求項２】
前記コントローラが、前記接触感応性トランスジューサの前記出力信号に従って前記ディスプレイに１つの行を選択的にディスプレイするよう構成されている、請求項１記載の無線電話。
【請求項３】
前記コントローラが、前記ディスプレイに複数のグラフィカルオブジェクトをディスプレイするための手段と、
前記接触感応性トランスジューサの前記出力信号に基づき、前記ディスプレイされた複数のグラフィカルオブジェクトのうちの１つを識別するための手段とを備えた、請求項１記載の無線電話。
【請求項４】
前記選択的にディスプレイするための手段が、複数のディスプレイされたグラフィカルオブジェクトのうちの１つをハイライト化するための手段を備えた、請求項１記載の無線電話。
【請求項５】
前記選択的にディスプレイするための手段が、複数のディスプレイされたグラフィカルオブジェクトのうちの１つを示すカーソルをディスプレイするための手段を含む、請求項１記載の無線電話。
【請求項６】
前記コントローラは、
前記接触感応性トランスジューサの前記出力信号に応答自在であって、前記接触感応性トランスジューサの軸線に沿った前記接触感応性トランスジューサとの移動接触を検出するための手段と、
前記移動接触を検出するための手段に応答自在であって、前記検出された移動接触に基づき、前記ディスプレイの前記軸線に沿って、ディスプレイされた行をスクロールするための手段と、を含む、請求項１記載の無線電話。
【請求項７】
前記コントローラは、前記コントローラが前記接触感応性トランスジューサとの接触に応答する第１モード、および前記コントローラが前記接触感応性トランスジューサとの接触に応答しない第２モードを有し、無線電話が更にユーザーからの入力信号に応答し、前記コントローラを前記第１モードまたは前記第２モードのうちのいずれか１つにするための手段を更に含む、請求項１記載の無線電話。
【請求項８】
前記コントローラ（２２０）が、
前記接触感応性トランスジューサ（１５０）に応答自在であり、前記接触感応性トランスジューサ（１５０）の前記出力信号（１５５）に従って前記無線電話通信用トランシーバ（２３０）および前記ディスプレイ（１２０）を制御する第１制御回路と、
前記接触感応性トランスジューサ（１５０）に応答自在であり、前記接触感応性トランスジューサ（１５０）からの前記出力信号（１５５）に従って前記電源から前記第１制御回路への電力の伝達を制御する第２制御回路とを備えた、請求項１記載の無線電話。
【請求項９】
前記第１制御回路がマイクロコントローラ（４１０）を含み、前記第２制御回路が前記接触感応性トランスジューサの前記出力信号に従って前記電源から前記マイクロコントローラ（４１０）への電力の伝達を制御する、請求項８記載の無線電話。
【請求項１０】
前記接触感応性トランスジューサが前記第１エッジ表面に取り付けられた第１接触感応性ストリップと、前記第２エッジ表面に取り付けられた第２接触感応性ストリップとを更に含む、請求項１記載の無線電話。
【請求項１１】
第１接触感応性トランスジューサ（１５０ａ）および第２接触感応性トランスジューサ（１５０ｂ）を含み、前記第１および第２接触感応性トランスジューサがそれぞれの第１および第２出力信号を発生し、前記コントローラは、前記コントローラ（２２０）が前記第１接触感応性トランスジューサ（１５０ａ）に応答し、かつ、前記第２接触感応性トランスジューサ（１５０ｂ）に応答しない第１モード、および前記コントローラ（２２０）が前記第２接触感応性トランスジューサ（１５０ｂ）に応答し、かつ、前記第１接触感応性トランスジューサ（１５０ａ）に応答しない第２モードを有し、前記コントローラ（２２０）を前記第１モードまたは前記第２モードのうちのいずれか１つにする手段を更に含む、請求項１０記載の無線電話。
【請求項１２】
前記接触感応性トランスジューサが抵抗性トランスジューサ、容量性トランスジューサおよび半導体トランスジューサのうちの１つを含む、請求項１記載の無線電話。
【請求項１３】
正面および該正面の両側に配置されたそれぞれの第１および第２エッジ表面を備えたハウジング（１１０）と、前記ハウジングによって支持され、前記ハウジングの正面に画像をディスプレイするディスプレイ（１２０）とを備えた無線電話（１００）であって、
前記ハウジングによって支持され、前記第１および第２エッジ表面のうちの少なくとも１つに配置された接触感応性ストリップを含み、前記接触感応性ストリップの表面に沿って物体を接触させながら動かすことに応じて出力信号（１５５）を発生する接触感応性トランスジューサ（１５０）と、
前記出力信号に応答自在であって、前記ディスプレイに作動的に関連し、前記接触感応性トランスジューサの前記出力信号に従って前記ディスプレイの軸線に沿って表示された行をスクロールするコントローラ（２２０）と、を備え、
前記コントローラが、前記接触感応性トランスジューサの前記出力信号に従って前記ディスプレイにグラフィカルオブジェクトを選択的にディスプレイするよう構成されており、
前記コントローラが、前記接触感応性トランスジューサに応答自在であって、前記接触感応性トランスジューサの軸線に沿った物体の接触位置を決定するための手段と、
前記接触位置を決定するための手段に応答自在であり、グラフィカルオブジェクトを識別するために前記決定された接触位置に基づき、グラフィカルオブジェクトを選択的にディスプレイするための手段と、を備え、
前記コントローラが、前記ディスプレイに複数の動作を実行させるように構成されており、前記複数の動作のうちの１つの動作が、識別されたグラフィカルオブジェクトに関連付けられており、
前記コントローラが、前記接触感応性トランスジューサに応答自在であり、識別されたグラフィカルオブジェクトに関連する動作を開始するための手段を更に含み、
前記動作を開始するための手段が、
前記接触感応性トランスジューサに応答自在であって、前記接触感応性トランスジューサとの瞬間的な接触を検出するための手段と、
前記瞬間的な接触を検出するための手段に応答自在であって、前記識別されたグラフィカルオブジェクトに関連する動作を開始するための手段と、を備え、
前記動作を開始するための手段が、所定の時間間隔内で発生する所定の回数の瞬間的な接触の検出に応答し、動作を開始するための手段を含む、ことを特徴とする無線電話（１００）。
【請求項１４】
前記コントローラが、前記接触感応性トランスジューサの前記出力信号に従って前記ディスプレイに１つの行（２４０）を選択的にディスプレイするよう構成されている、請求項１３記載の無線電話。
【請求項１５】
前記コントローラが、前記ディスプレイに複数のグラフィカルオブジェクトをディスプレイするための手段と、
前記接触感応性トランスジューサの前記出力信号に基づき、前記ディスプレイされた複数のグラフィカルオブジェクトのうちの１つを識別するための手段とを備えた、請求項１３記載の無線電話。
【請求項１６】
前記選択的にディスプレイするための手段が、複数のディスプレイされたグラフィカルオブジェクトのうちの１つをハイライト化するための手段を備えた、請求項１３記載の無線電話。
【請求項１７】
前記選択的にディスプレイするための手段が、複数のディスプレイされたグラフィカルオブジェクトのうちの１つを示すカーソルをディスプレイするための手段を含む、請求項１６記載の無線電話。
【請求項１８】
前記コントローラは、
前記接触感応性トランスジューサの前記出力信号に応答自在であって、前記接触感応性トランスジューサの軸線に沿った前記接触感応性トランスジューサとの移動接触を検出するための手段と、
前記移動接触を検出するための手段に応答自在であって、前記検出された移動接触に基づき、前記ディスプレイの前記軸線に沿って、ディスプレイされた行をスクロールするための手段と、を含む、請求項１３記載の無線電話。
【請求項１９】
前記接触感応性トランスジューサが前記第１エッジ表面に取り付けられた第１接触感応性ストリップと、前記第２エッジ表面に取り付けられた第２接触感応性ストリップを含む、請求項１３記載の無線電話。
【請求項２０】
前記接触感応性トランスジューサが抵抗性トランスジューサ、容量性トランスジューサおよび半導体トランスジューサのうちの１つを含む、請求項１３記載の無線電話。
【請求項２１】
正面および該正面の両側には位置された第１および第２エッジ表面を有するハウジング（１１０）と、前記正面に画像をディスプレイするディスプレイ（１２０）とを備えた無線電話（１００）にユーザー入力を与えるための方法であって、
前記ハウジングの第１および第２エッジ表面のうちの少なくとも１つに配置された接触感応性ストリップを有する接触感応性トランスジューサ（１５０）を使用して無線電話にユーザー入力を提供する工程と、
前記接触感応性トランスジューサ（１５０）が、前記接触感応性トランスジューサ（１５０）の接触感応性ストリップの表面に沿った物体の移動接触に応じた出力信号（１５５）を発生する工程と、
前記無線電話に備えられたコントローラが、前記出力信号に応答自在であり、前記ディスプレイに作動的に関連し、前記接触感応性トランスジューサの前記出力信号に従って前記ディスプレイの軸線に沿って表示された行をスクロールする工程と、を備え、
前記コントローラが、前記接触感応性トランスジューサの前記出力信号に従って前記ディスプレイにグラフィカルオブジェクトを選択的にディスプレイするよう構成されており、
前記行をスクロールする工程は、前記コントローラが、前記接触感応性トランスジューサに応答自在であって、前記接触感応性トランスジューサの軸線に沿った物体の接触位置を決定する工程と、前記接触位置の決定に応答自在であり、グラフィカルオブジェクトを識別するために前記決定された接触位置に基づき、グラフィカルオブジェクトを選択的にディスプレイする工程と、を含み、
前記コントローラが、前記ディスプレイに複数の動作を実行させるように構成されており、前記複数の動作のうちの１つの動作が、識別されたグラフィカルオブジェクトに関連付けられており、
前記コントローラが、前記接触感応性トランスジューサに応答自在であり、識別されたグラフィカルオブジェクトに関連する動作を開始する工程を更に含み、
前記動作を開始する工程が、
前記接触感応性トランスジューサに応答自在であって、前記接触感応性トランスジューサとの瞬間的な接触を検出する工程と、
前記瞬間的な接触の検出に応答自在であって、前記識別されたグラフィカルオブジェクトに関連する動作を開始する工程と、を備え、
前記動作を開始する工程が、所定の時間間隔内で発生する所定の回数の瞬間的な接触の検出に応答し、動作を開始する工程を含む、無線電話にユーザー入力を与える方法。
【請求項２２】
前記無線電話は、無線電話通信用トランシーバ（２３０）をさらに含み、
前記コントローラが、前記接触感応性トランスジューサの出力信号に従って無線電話通信用トランシーバおよびディスプレイのうちの少なくとも一方を制御する工程を更に含む、請求項２１記載の方法。
【発明の詳細な説明】
【０００１】
（発明の分野）
本発明は無線電話およびそれを運用する方法に関し、より詳細には、無線電話にユーザー入力を提供するための装置および方法に関する。
【０００２】
（発明の背景）
無線電話ターミナルはハンドヘルド用ケース内に設けられたユーザーインターフェース機構と一体化された無線電話を一般に含む。このユーザーインターフェースは従来の有線電話に設けられていたキーに類似する複数のキー（１９８５年１月１０日の日本の特許抄録第００９巻００４号（Ｅ−２８８）を参照）だけでなく、無線電話の運用に関連する機能を制御するための付加的なファンクションキーも一般に含む。これらキーはコマンド、電話番号または無線電話が処理するための他のデータを入力するための手段となっている。キーによりユーザーが入力した情報、例えば電話番号、メニュー選択などをディスプレイするだけでなく、無線電話が通信中の無線電話システムから受信したメッセージまたは他の情報をディスプレイするのにディスプレイを使用できる。このディスプレイは無線電話内に設けられたメモリに記憶されている情報をディスプレイするのにも使用される。
【０００３】
一般にディスプレイは１つ以上のグラフィカルオブジェクト、例えばコマンドメニュー内のコマンドのリストまたはユーザーが通信のために選択できる無線電話メモリ内に記憶されている電話番号のリストをディスプレイするようになっている。グラフィカルオブジェクトは、例えば電話番号またはコマンドオプションのリスト内の選択された数の項目をディスプレイすることにより選択的にディスプレイできる。このリストは小さいディスプレイ上に大きいリストをディスプレイできるようにするために、ユーザー入力に応答し、リストをスクロールできるようになっている。
【０００４】
従来の一部の無線電話では、ディスプレイ上のグラフィカルオブジェクトのスクロールは、１つ以上のキーによって制御でき、これらキーの操作はコンピュータのキーボード上に設けられた矢印キーの操作に類似している。（シュルツに付与された米国特許第5,184,120号を参照。）特定の選択を呼び出すのに、他のキーを設けることができる。他の従来の無線電話の構造のうちで、無線電話のケースにホイール状の入力装置を取り付け、これをユーザーが回転し、ディスプレイ上のグラフィカルオブジェクトをスクロールさせるようになっているものもある。このホイール装置はホイールにユーザーが径方向の圧力を加えることに応答し、ディスプレイ上のアイテムを選択するようにもできる。（ロカ他に付与された米国特許第5,452,240号；アラード他に付与された欧州特許第EP0698845A1号を参照。）
【０００５】
無線電話のディスプレイを制御するこれら従来の技術の各々には限界があった。ディスプレイの選択をスクロールし、呼び出すためのキーは、ユーザーには使いにくいことがあり、無線電話のキーパッド上の有益な空間を占めてしまうことがある。ホイール付き入力装置は、より高速で、かつ直観的なスクロール制御を行うことができるが、かかる装置も不適当な量の空間を占め、より故障し易い可動部品が必要である。従って、無線電話用の改良された入力装置が求められている。
【０００６】
（発明の概要）
上記に鑑み、本発明の目的は、信頼性があり、直感的で、かつ効率的なディスプレイ制御を行う、無線電話およびそれを運用する方法を提供することにある。
【０００７】
本発明によれば、接触感応性トランスジューサ、例えば無線電話に取り付けられた抵抗性または容量性タッチストリップを使って無線電話のディスプレイおよび／または無線電話の通信トランシーバの制御を行う、無線電話およびそれを運用する方法により、上記およびそれ以外の目的、特徴および利点が得られる。接触感応性トランスジューサは接触、例えばユーザーの指のような物体とトランスジューサの表面との接触を特徴付ける出力信号を発生する。この出力信号はディスプレイ上の情報のディスプレイを制御し、ディスプレイされたアイテムに関連する動作を開始するよう、コントローラによって処理できる。例えばこの接触感応性トランスジューサを使ってグラフィカルオブジェクト、例えばディスプレイ上の列または行のディスプレイおよびグラフィカルオブジェクトに関連する機能の開始を制御できる。好ましくはこの接触に応答自在なトランスジューサは細長いストリップを含み、この細長い軸線に沿ったストリップとの接触を特徴付ける出力信号を発生する。一実施例では、無線電話のそれぞれの側面に、かかる細長いストリップのうちの２つが取り付けられ、別の実施例では、無線電話の正面に１つの細長いストリップが取り付けられる。
【０００８】
無線電話を制御するのに、接触感応性トランスジューサを使用すると、いくつかの利点が得られる。接触感応性トランスジューサは薄い形状に構成できるので、過度な大きさの有益な空間を占めることなく、無線電話の表面に取り付けできる。トランスジューサとの、特徴のあるタイプの接触、例えば強打運動または叩き運動を検出できるので、例えばスクロール運動またはカーソル運動のようなディスプレイの運動を実行するだけでなく、ディスプレイにディスプレイされたアイテムを選択するのにもトランスジューサを使用できる。更に接触感応性トランスジューサは可動部品を使用することなく製造できるので、信頼性を改善できる。
【０００９】
特に本発明の特徴によれば、無線電話はフレームを含み、このフレームは無線電話通信用トランシーバとディスプレイとを支持する。例えばハウジングの表面に取り付けられたフレームにより、接触感応性トランスジューサ、例えば抵抗性トランスジューサ、容量性トランスジューサまたは半導体トランスジューサが支持され、この接触感応性トランスジューサの接触感応性表面に沿った接触を特徴付ける出力信号を発生する。この出力信号にはコントローラが応答でき、コントローラはディスプレイおよび無線電話通信用トランシーバに作動的に関連しており、接触感応性トランスジューサの出力信号に従ってディスプレイおよび無線電話通信用トランシーバのうちの少なくとも１つを制御する。
【００１０】
本発明の実施例では、コントローラは接触感応性トランスジューサの出力信号に応答するディスプレイに画像、例えばアルファニューメリックキャラクターの行のようなグラフィカルオブジェクトを選択的にディスプレイするように構成される。コントローラはディスプレイに複数のグラフィカルオブジェクトをディスプレイするための手段および接触感応性トランスジューサに応答自在であり、接触感応性トランスジューサの出力信号に基づきディスプレイされた複数のグラフィカルオブジェクトのうちの１つを識別するための手段を含むことができる。
【００１１】
別の実施例によれば、コントローラは接触感応性トランスジューサに応答自在であり、接触感応性トランスジューサの軸線に沿った接触位置を決定するための手段を含む。この接触位置を決定するための手段に応答自在であって、例えば複数のディスプレイされたグラフィカルオブジェクトのうちの１つをハイライト化するか、または複数のディスプレイされたグラフィカルオブジェクトのうちの１つを示すカーソルをディスプレイすることにより、決定された接触位置に基づきグラフィカルオブジェクトを選択的にディスプレイし、よってグラフィカルオブジェクトを識別するための手段も設けられる。
【００１２】
本発明の更に別の実施例では、コントローラはディスプレイまたは無線電話通信用トランシーバに複数の動作を実行させるように構成される。複数の動作のうちの１つの動作を識別されたグラフィカルオブジェクトに関連付けることができ、コントローラは接触感応性トランスジューサに応答し、識別されたグラフィカルオブジェクトに関連する動作を開始するための手段を更に含むことができる。動作を開始するための手段は、接触感応性トランスジューサに応答自在であり、トランスジューサとの瞬間的な接触を検出するための手段を含むことができる。瞬間的な接触を検出するための手段に応答自在であり、識別されたグラフィカルオブジェクトに関連する動作を開始するための手段を設けることもできる。この動作を開始するための手段は、所定の時間インターバル内で所定の回数の瞬間的な接触の検出に応答して動作を開始するための手段を含むことができる。
【００１３】
本発明の別の実施例によれば、コントローラは接触感応性トランスジューサに応答自在であって、この接触感応性トランスジューサの出力信号に基づき、ディスプレイの軸線に沿ってディスプレイされた行をスクロールするための手段を含む。このスクロールするための手段は、接触感応性トランスジューサの出力信号に応答自在であり、接触感応性トランスジューサの軸線に沿った接触感応性トランスジューサとの移動接触を検出するための手段と、移動接触を検出するための前記手段に応答自在であり、検出された運動に基づき、ディスプレイの軸線に沿ってディスプレイされた行をスクロールするための手段を含むことができる。
【００１４】
本発明の更に別の実施例によれば、コントローラが接触感応性トランスジューサとの接触に応答自在な第１モードおよびコントローラが接触感応性トランスジューサとの接触に応答しない第２モードを有する。無線電話は更にユーザーからの入力信号に応答し、コントローラを第１モードまたは第２モードのいずれかにするための手段を更に含む。
【００１５】
本発明の別の実施例は、接触感応性トランスジューサに電気的に接続された電源を含む。コントローラは接触感応性トランスジューサに応答自在であって、この接触感応性トランスジューサの出力信号に従って無線電話通信用トランシーバおよびディスプレイを制御する第１制御回路と、接触感応性トランスジューサに応答自在であって、この接触感応性トランスジューサからの出力信号に従って電源から第１制御回路への電力の伝達を制御する第２制御回路とを含む。第１制御回路はマイクロコントローラを含むことができ、第２制御回路は接触感応性トランスジューサの出力信号に従って電源からマイクロコントローラへの電力の伝達を制御できる。
【００１６】
本発明の別の実施例では、無線電話のフレームはハウジングを含み、接触感応性トランスジューサはこのハウジングの表面に取り付けられた細長い接触感応性ストリップを含む。ハウジングは正面と、隣接する第１側面を有することができ、正面にディスプレイを取り付けでき、正面に隣接する第１側面に細長い接触感応性ストリップを取り付けできる。正面に隣接し、第１側面と反対の、無線電話ハウジングの第２側面に第２の接触感応性ストリップを取り付けできる。別の実施例によれば、ハウジングの正面に接触感応性トランスジューサを取り付けできる。
【００１７】
本発明の方法の特徴によれば、接触感応性トランスジューサの接触感応性表面への物体の接触を特徴付ける出力信号を発生する接触感応性トランスジューサを使用して、無線電話にユーザー入力が与えられる。この接触感応性トランスジューサの出力信号に従って無線電話通信用トランシーバおよび無線電話のディスプレイのうちの少なくとも一方を制御できる。接触感応性トランスジューサの出力信号に従って無線電話のディスプレイに画像を選択的にディスプレイできる。従って無線電話のための改良されたユーザーインターフェースが得られる。
【００１８】
（好ましい実施例の詳細な説明）
本発明の複数の実施例を示した添付図面を参照して、以下、本発明についてより詳細に説明する。当業者であれば、本発明をいくつかの異なる携帯で具現化でき、本発明に記載の実施例のみに限定するものと考えるべきでないことが理解できよう。これら実施例は本明細書における開示が完全となるように記載したものであり、当業者に本発明の範囲を伝えるためのものである。図中、同様な番号は同様な部品を示す。第１の物体、例えば接触感応性トランスジューサストリップが第２の物体、例えばハウジングまたは同等品の表面に取り付けられていると称す場合、第１の物体はこの第２の物体の表面の下にある構造要素、すなわちフレーム上の第２の物体の表面に直接取り付けでき、これによって第２の物体または同等品の表面にある開口部を介し、第１の物体の表面にアクセス可能となることが理解できよう。
【００１９】
図１は、本発明の実施例に係わる装置および方法を具現化できる無線電話１００を示す。この無線電話はハウジング１１０を含むように示されているフレームを含む。このハウジング１１０はディスプレイ１２０と、複数のキー１３０とを支持している。当業者であれば、図示されていないが、無線電話システムと通信するための無線電話通信用トランシーバ、例えばアンテナ１４０を介し、セルラーシステムと通信するための送信機、受信機および関連する制御回路も含まれることが理解できよう。これら無線電話通信用トランシーバおよびディスプレイ１２０は、ディスプレイ１２０に隣接して無線電話のハウジング１１０の側面に取り付けられた接触感応性トランスジューサ１５０によって制御される。接触を検出できるトランスジューサ１５０は種々の異なる方法でハウジング１１０に取り付けできる。例えばハウジング１１０の外側面に取り付けたり、ハウジング１１０の外側面に取り付けられたボス（ｂｏｓｓ）または同様な構造体に取り付けたり、ハウジング１１０内に取り付けられ、ハウジング１１０の表面内の開口部または同等物を貫通するサーキットボードまたは同様な構造体に取り付けたりすることができる。
【００２０】
次に図２を参照すると、接触感応性トランスジューサ１５０は物体の接触、例えばトランスジューサ１５０の軸線１５０ａに沿ったユーザーの指１１０の接触を特徴付ける出力信号１５５を発生する。この出力信号１５５にはコントローラ２２０が応答でき、このコントローラはディスプレイ１２０および無線電話通信用トランシーバ２３０と作動的に関連している。コントローラ２２０は接触感応性トランシーバ１５０が発生した出力信号１５５に基づき、ディスプレイ１２０に画像、例えばアルファニューメリックキャラクターの１つ以上の行２４０を選択的にディスプレイする。このコントローラは出力信号１５５に従って無線電話通信用トランシーバ２３０も制御する。接触感応性トランスジューサ１５０は抵抗性、容量性または半導体ストリップを含む種々の異なる接触感応性デバイスを含むことができる。例えば接触感応性トランスジューサ１５０はインターリンクコーポレーションによって製造されているタイプの半導体パッドタイプのトランスジューサを使用して実現できる。
【００２１】
図３は、ディスプレイ１２０に隣接する、無線電話のハウジング１１０の両側に２つの接触感応性ストリップ１５０ａ、１５０ｂが取り付けられた本発明の実施例を示す。無線電話のハウジング１１０の両側にストリップを設けることにより、無線電話１００を右利き用または左利き用のいずれかで使用できる。所定時間にストリップ１５０ａ、１５０ｂの一方しかアクティブとならないよう、すなわち無線電話を握ることによってコントローラへ信号が不適切に発生されるのを防止するように、ストリップの一方を不作動とすることが好ましい。例えばアクティブなストリップ１５０ａに最も近いディスプレイ１２０のエッジの近くにアイコン１２５をディスプレイすることにより、アクティブなストリップを表示してもよい。
【００２２】
図４は、トランスジューサ１５０ａ、１５０ｂのノードＲ1、Ｒ2、Ｒc、Ｌ1、Ｌ2、Ｌcに接続された回路を含むコントローラ２２０の実施例を示す。ノードＲ1およびＲcとノードＬ1およびＬcとの間の電圧はマルチプレクサ４２０ａ、４２０ｂおよび放電スイッチ４３０を制御するマイクロコントローラ４１０の制御によりサンプリングされ、ノードＲ1、Ｒ2、Ｒc、Ｌ1、Ｌ2、Ｌcにおける電圧をコンデンサＣに選択的に印加する。トランスジューサ１５０ａ、１５０ｂの一方のノードがコンデンサＣに接続された後に、コンデンサＣをスレッショルド電圧ＶTまで充電するのに必要な時間をカウンタ４５０と共にコンパレータ４４０が決定する。所定のトランスジューサに対し、充電時間の３つがサンプリングされ、後に詳細に説明するように、物体とトランスジューサとの接触位置の目安を与える。接触位置のサンプルを示す、カウンタ１５０が発生するカウントはレジスタ４６０にラッチされ、次に更に処理するためにマイクロコントローラ４１０へ送られる。
【００２３】
当業者であれば、図４に示された実施例以外の種々の装置を本発明と共に使用できることが理解できよう。例えば接触感応性トランスジューサが発生した出力信号を処理するよう、異なるタイプのコントローラ回路を使用する異なるタイプの接触感応性トランスジューサを使用できる。一般に、接触感応性トランスジューサが発生した出力信号を処理し、図２を参照して説明するように、出力信号に従ってディスプレイ１２０および無線電話通信トランスジューサ２３０を制御するためのコントローラは、特殊用途のハードウェア、汎用または特殊用計算装置で作動するソフトウェアまたはファームウェア、もしくはそれらの組み合わせを使って実現できることが理解できよう。
【００２４】
図５のフローチャートは本発明の特徴により接触感応性トランスジューサとの接触位置を決定するための方法および装置を示す。フローチャートのブロックおよびフローチャート内のブロックの組み合わせはコンピュータプログラム命令によって実現できることが理解できよう。このコンピュータプログラム命令はコンピュータまたは他のプログラマブルデータ処理装置で実行される命令がフローチャートのブロック内で特定される機能を実現するための手段を形成するよう、マシンを製造するためにコンピュータまたは他のプログラマブルデータ処理装置にロードできる。これらコンピュータプログラム命令はコンピュータまたは他のプログラマブル装置にロードし、このコンピュータまたは他のプログラマブル装置で一連の作動ステップを実施させ、コンピュータまたは他のプログラマブル装置で実施される命令がフローチャートのブロック内で特定される機能を実現するための工程を提供するように、コンピュータで実現されるプロセスを発生するため、コンピュータまたは他のプログラマブル装置で一連の作動ステップを実施させてもよい。従って、フローチャート図のブロックは特定された機能を実施するための手段の組み合わせおよび特定された機能を実施するためのステップの組み合わせをサポートしている。フローチャート図の各ブロックおよびフローチャート図内のブロックの組み合わせは、特定の機能または工程を実施する特殊用途のハードウェアまたはコンピュータ命令を実行する特殊用途のハードウェア、例えば図４のコントローラ４１０と、マイクロプロセッサと、デジタル信号処理（ＤＳＰ）チップ、アプリケーション決定集積回路（ＡＳＩＣＳ）などの組み合わせにより実現できることも理解できよう。
【００２５】
図５は、図３の左側の接触ストリップ１５０ａと物体との接触位置を決定するための詳細な作動例（ブロック５００、その他）を示す。放電スイッチ４３０がコンデンサＣを放電するように閉じられる（ブロック５０５）。次に電源電圧ＶccがＬ1ノードに印加され（ブロック５１０）、ＬcノードがコンデンサＣに接続される（ブロック５１５）。次に、コンデンサＣを充電するように放電スイッチ４３０が開放され（ブロック５２０）、第１のコンデンサ充電時間Ｔ1が測定される（ブロック５２５）。次に、再びスイッチ４３０を閉じることによりコンデンサＣが放電される（ブロック５３０）。次に電源電圧ＶccがＬ2ノードに印加され（ブロック５３５）、ＬcノードがコンデンサＣに接続される（ブロック５４０）。次に放電スイッチ４３０が開放され（ブロック５４５）、第２のコンデンサ充電時間Ｔ2が測定される（ブロック５５０）。再び放電スイッチ４３０を閉じることによりコンデンサＣが放電される（ブロック５５５）。次に電源電圧ＶccがＬ1ノードに印加され（ブロック５６０）、Ｌ2ノードがコンデンサＣに接続される（ブロック５６５）。次に放電スイッチ４３０が開放され（ブロック５７０）、第３のコンデンサ充電時間Ｔ3が測定される（ブロック５７５）。次に第１コンデンサ充電時間Ｔ1、第２コンデンサ充電時間Ｔ2および第３コンデンサ充電時間Ｔ3が使用されて、トランスジューサ５２０ｂとの接触位置が決定される（ブロック５８０）。
【００２６】
特に図５を参照して説明した測定法について３つの式を適用できる。
【００２７】
【数１】
0004783503.tif 000002
【００２８】
これら式はＲL1、ＲL2およびＲLcに関し解くことができ、接触位置Ｐを次のように決定できる。
【００２９】
【数２】
0004783503.tif 000003
【００３０】
当業者であれば、右側の接触ストリップ１５０ａとの接触位置を決定するのに同様な演算を実行できることが理解できよう。更に、マルチプレクサ４２０ａ、４２０ｂに適当な制御信号を印加することによりトランスジューサ１５０ａ、１５０ｂのいずれか一方をコンデンサＣから外し、外されたトランスジューサからの入力を効果的に防止できることも理解できよう。
【００３１】
図６Ａは本発明の別の実施例、特に接触感応性トランスジューサからの入力信号に基づき、電源、すなわちバッテリー電圧Ｖbatを供給するバッテリーからマイクロコントローラ４１０および／または無線電話内の他の回路への電力の伝達を制御するための、図４内に示された制御回路と共に使用できる回路を示す。ノードＲc、Ｌc、Ｒ1、Ｌ1を接続する信号路内に別のスイッチ６１０ａ〜６１０ｄを設けることができる。これらスイッチは図示するようにオフ状態では関連するノードを（ノードＲc、Ｌcの場合）ダイオードＤ1、Ｄ2を介し、スイッチ６２０のための制御入力端に接続し、かつ（ノードＲ1、Ｌ1の場合）バッテリー電圧Ｖbatへ接続するのに使用できる。このようなオフ状態では、電源スイッチ６２０はマイクロコントローラ４１０に安定化された電源電圧Ｖccを供給するレギュレータ６３０からバッテリー電圧Ｖbatを切る。
【００３２】
関連するダイオードＤ1、Ｄ2の両端部での電圧ドロップおよび電源スイッチ６２０の附勢入力電圧よりも充分大きい電圧が発生されるように、右側ストリップ１５０ａまたは左側ストリップ１５０ｂのいずれかが押圧されると、電源スイッチ６２０が閉じ、６３０にバッテリー電圧Ｖbatが印加される。従って、第３ダイオードＤ3をドライブし、制御信号をスイッチ６１０ａ〜６１０ｄへ印加し、ノードＲc、Ｌc、Ｒ1、Ｌ1を図４に示されるように適当なマルチプレクサに接続することにより、オン状態が持続するような電力が与えられる。マイクロコントローラ４１０は第３ダイオードＤ3をドライブするライン上の論理を反転することにより、電源電圧６２０をオフ状態に戻すことができる。電源スイッチ６２０を附勢するには特定の電圧が必要であるので、誤って無線電話が附勢されるのを防止できる。図６Ｂに示された別の実施例によれば、レギュレータ６３０をパワーアップするのにストリップ１５０ａ、１５０ｂの双方にかかるこのような圧力が必要となるように、図６Ａの回路を変形できる。右側ストリップ１５０ｂが押されると、Ｒ1およびＲcからＬ1へバッテリー電圧Ｖbatが印加される。左側ストリップ１５０ａが同時に押された場合、Ｄ2を介し、電源スイッチ６２０の制御入力端への電圧が印加される。左側ストリップが同時に押されない場合、図６Ｂの回路の動作は図６Ａの回路に関して説明した動作と同様になる。
【００３３】
図７Ａ〜７Ｂの概念図および図８〜１０のフローチャートは、ディスプレイ上のグラフィカルオブジェクトを識別するための接触感応性トランスジューサとの接触を決定し、識別されたオブジェクトに関連するファンクションを開始するための方法および装置を示す。フローチャートのブロックおよびフローチャート内のブロックの組み合わせはコンピュータプログラム命令によって実現できることが理解できよう。このコンピュータプログラム命令はコンピュータまたは他のプログラマブルデータ処理装置で実行される命令がフローチャートのブロック内で特定される機能を実現するための手段を形成するよう、マシンを製造するためにコンピュータまたは他のプログラマブルデータ処理装置にロードできる。これらコンピュータプログラム命令はコンピュータまたは他のプログラマブル装置にロードし、このコンピュータまたは他のプログラマブル装置で一連の作動ステップを実施させ、コンピュータまたは他のプログラマブル装置で実施される命令がフローチャートのブロック内で特定される機能を実現するための工程を提供するように、コンピュータで実現されるプロセスを発生するため、コンピュータまたは他のプログラマブル装置で一連の作動ステップを実施させてもよい。従って、フローチャート図のブロックは特定された機能を実施するための手段の組み合わせおよび特定された機能を実施するためのステップの組み合わせをサポートしている。フローチャート図の各ブロックおよびフローチャート図内のブロックの組み合わせは、特定の機能または工程を実施する特殊用途のハードウェアまたはコンピュータ命令を実行する特殊用途のハードウェア、例えばマイクロコントローラと、マイクロプロセッサと、デジタル信号処理（ＤＳＰ）チップ、アプリケーション決定集積回路（ＡＳＩＣＳ）などの組み合わせにより実現できることも理解できよう。
【００３４】
図７Ａ〜７Ｃは、本発明の別の特徴により無線電話のディスプレイ上の画像のディスプレイを制御するための動作、特に無線電話のディスプレイ１２０上に行として示されるグラフィカルオブジェクトをスクロールし、ディスプレイ１２０上に識別されるグラフィカルオブジェクトに関連するファンクションを開始するための動作を示す。無線電話のディスプレイ１２０には少なくとも１つのグラフィカルオブジェクトがディスプレイされる。図７Ｂに示されるように、ユーザーは無線電話１００の側面に取り付けられた接触感応性ストリップ１５０に接触させながら、強打運動、または変位運動を行い、ユーザーの運動方向に沿ってディスプレイの行をスクロールさせる。当業者であれば、包括的な意味のスクロールとは、ディスプレイ１２０上の行の選択的なディスプレイを意味し、多数の異なるグラフィカルな操作も含むことが理解できよう。例えば図７Ａ〜７Ｃに示されるように、ディスプレイ１２０に複数の行をディスプレイし、ユーザー入力に応答し、ディスプレイされてる行のうちの１つをハイライト化またはその他の方法で識別してもよい。ディスプレイ１２０上で異なる行を逐次ディスプレイし、スクロール運動のように見せることもできる。更に行または他のグラフィカルオブジェクトを逐次ハイライト化したり、またはカーソルを移動することによるスクロールのような動作により、トランスジューサ１５０上のスワイプ（ｓｗｉｐｉｎｇ）運動に応答する行または他のグラフィカルオブジェクトを逐次識別するようにすることもできる。
【００３５】
図７Ｃに示されるように、例えばハイライト化またはカーソルの位置決めにより識別されるアイテムに関連する機能は、図７Ｃに示されるよう、接触感応性トランスジューサ１５０上の瞬間的な接触または叩く動作の所定の回数をユーザーが行ったときに開始される。この瞬間的な接触または叩き運動は接触感応性トランスジューサ１５０に沿ったどの場所でも行うことができる。当業者であれば、本発明の範囲内で上記動作の多数の変形を行うことができることが理解できよう。例えば多数のグラフィカルオブジェクトをディスプレイする代わりに、一度に１つの行しかディスプレイせず、メモリ内に記憶されている行を逐次ディスプレイしてスクロールに見えるようにディスプレイ１２０を構成することもできる。
【００３６】
図８は、接触感応性トランスジューサとのスワイプ接触を検出するための動作例を示す（ブロック８００など）。トランスジューサの出力信号をサンプリングする（ブロック８０５）。サンプルが物体とトランスジューサとの接触を示す場合、次に接触スタート位置Ｐstartを決定する（ブロック８１０〜８１５）。再びトランスジューサの出力信号をサンプリングし（ブロック８２０）、まだ接触が検出される場合に終了位置Ｐendを決定する（ブロック８２５〜８３０）。次に、スタート位置Ｐstartおよび終了位置Ｐendから距離Ｄを決定する（ブロック８３５）。距離Ｄの長さが最小距離Ｄminよりも短い場合、運動を無視し、他のサンプルを得る（ブロック８４０〜８２０）。しかしながら距離Ｄが充分長ければ、コントローラは距離Ｄの符号を見ることにより運動の方向を決定する（ブロック８４５）。距離Ｄが負であれば、第１方向にディスプレイをスクロールする（ブロック８５０ａ）。しかしながら距離Ｄが正であれば、ディスプレイを第２方向にスクロールする（ブロック８５０ｂ）。次に終了位置を新しいスタート位置として使用する（ブロック８５５）。
【００３７】
図９は、本発明の別の特徴による接触感応性トランスジューサに対する瞬間的な接触または叩き運動を検出するための動作例（ブロック９００など）を示す。一般的に言って一連の３つの条件、すなわち（１）接触感応性トランスジューサとの接触がないこと、（２）接触感応性トランスジューサとの接触がなされること、および（３）所定時間内に接触感応性トランスジューサとの接触が終了することの条件が満足される場合に、瞬間的な接触または叩き運動が検出される。図示した動作例では、タイマーＴ1（例えば図４のマイクロコントローラ４１０内で実現されるソフトウェアタイマー）を初期化する（ブロック９０５）。接触感応性トランスジューサからの出力信号をサンプリングする（ブロック９１０）。物体がトランスジューサに接触していることをサンプリングされた出力信号が示す場合、接触が検出されなくなるまで出力信号を繰り返してサンプリングする（ブロック９１０〜９１５）。一旦接触が検出されなくなると、叩き運動の第１条件が満たされる。次に第２回のサンプリングを開始し、再び接触が検出されるまで出力信号をサンプリングする（ブロック９２０〜９２５）。再び一旦接触が検出されると、叩き運動の第２条件が満たされる。次にタイマーＴ1をスタートする（ブロック９３０）。接触が続き、タイマーＴ1によって測定される時間が所定の最大時間インターバルＴmaxよりも短くなっている限り、トランスジューサの出力信号を繰り返してサンプリングする（ブロック９３５〜９４５）。タイマーＴ1が最大時間Ｔmaxを越える前に接触が終了する場合、叩き運動の第３条件が満たされ、有効な１回の叩き運動が検出される（ブロック５５０）。しかしながら、タイマーＴ1が接触の終了する前に最大時間Ｔmaxを越える場合、タイマーＴ1を再び初期化し（ブロック９０５）、再び検出プロセスがスタートする。
【００３８】
図１０は、接触感応性トランスジューサに対する２回の叩き運動を検出するための動作（ブロック１０００など）を示す。第２のタイマーＴ2を初期化する（ブロック１０１０）。有効な１回の叩き運動が検出されると、第２のタイマーＴ2をスタートさせる（ブロック１０１５〜１０２０）。第２タイマーＴ2が設定した時間が第２の最大時間インターバルＴ2maxよりも短いままであり、トランスジューサとの接触が検出されない限り、トランスジューサの出力のサンプリングを繰り返す（ブロック１０２５〜１０３５）。接触が検出された時にタイマーが終了していなければ、次に接触が有効な１回の叩き運動を構成するかどうかを判断する（ブロック１０４０）。有効な１回の叩き運動が検出された場合、有効な２回の叩き運動が行われている（ブロック１０４５）。そうでない場合、第２タイマーＴ2を再初期化し（ブロック１００５）、検出プロセスを再びスタートさせる。
【００３９】
図１１は本発明にかかわる別の実施例、すなわちディスプレイ１２０の近くで無線電話のハウジング１１０の正面に取り付けられるように示されている、水平に配置された接触感応性トランスジューサ１５０ｃを含む。図３の側面に取り付けられたトランスジューサを参照して説明したのと同様に、物体、例えば指またはスタイラス（stylus）と接触感応性トランスジューサ１５０ｃとの接触に基づき、ディスプレイ１２０上に列状に編集したグラフィカルオブジェクトを選択的にディスプレイするのにトランスジューサ１５０ｃを使用できる。例えば図１１に示されるように、ディスプレイ１２０の列内にアイコン１１１０をディスプレイし、図４〜１０を参照して説明したのと同様な装置および動作を使って接触感応性トランスジューサ１５０ｃとの接触に従ってアイコンを選択的に識別してもよい。また、識別されたアイコンに隣接するカーソル１１２０をハイライト化したり、またはディスプレイするなどのいくつかの技術によってアイコンを識別してもよい。図７Ａ〜７Ｃを参照して説明したのと同様な装置および動作を使って、識別されたアイコンに関連するファンクションを選択してもよい。当業者であれば、その他の実施例はディスプレイ１２０に対し行と列状に配列された制御の双方を行うよう、図１１に示された、水平に取り付けられた接触感応性ストリップと組み合わせて、図３に示された、側面に取り付けられた接触感応性ストリップも含むことができることも理解できよう。
【００４０】
以上で図面および明細書において、本発明の代表的な実施例を開示した。ここにおいて、特定の用語を使用したが、これら用語は単に説明のために包括的に使用したにすぎず、本発明を限定するために使用したものではない。本発明の範囲は特許請求の範囲に記載されている。
【図面の簡単な説明】
【図１】  本発明の一実施例に係わる無線電話を示す。
【図２】  本発明の一実施例に係わる無線電話を示す略図である。
【図３】  本発明の別の実施例に係わるデュアル接触感応性ストリップを備えた無線電話を示す。
【図４】  本発明の別の実施例に係わる接触感応性トランスジューサを使用してディスプレイを制御するための回路を示す略図である。
【図５】  本発明の特徴により物体と接触感応性トランスジューサとの接触位置を決定するための動作のフローチャートである。
【図６】  本発明の別の実施例に係わる、接触感応性トランスジューサを使用して無線電話への給電を制御するための回路を示す略図である。
【図７Ａ】  本発明の別の特徴により、ディスプレイされているアイテムをスクロールすると共に、ディスプレイされているアイテムに関連するファンクションを選択するための動作を示す。
【図７Ｂ】  本発明の別の特徴により、ディスプレイされているアイテムをスクロールすると共に、ディスプレイされているアイテムに関連するファンクションを選択するための動作を示す。
【図７Ｃ】  本発明の別の特徴により、ディスプレイされているアイテムをスクロールすると共に、ディスプレイされているアイテムに関連するファンクションを選択するための動作を示す。
【図８】  本発明の別の特徴により、接触感応性トランスジューサとの叩き接触を検出するための動作を示すフローチャートである。
【図９】  本発明の特徴により、接触感応性トランスジューサとの接触を検出するための動作のフローチャートである。
【図１０】  本発明の特徴により、接触感応性トランスジューサとの接触を検出するための動作のフローチャートである。
【図１１】  本発明の別の実施例により、水平方向に取り付けられた接触感応性ストリップを備えた無線電話を示す。
【図１】
0004783503.tif 000004
【図２】
0004783503.tif 000005
【図３】
0004783503.tif 000006
【図４】
0004783503.tif 000007
【図５】
0004783503.tif 000008
【図６】
0004783503.tif 000009
【図７Ａ】
0004783503.tif 000010
【図７Ｂ】
0004783503.tif 000011
【図７Ｃ】
0004783503.tif 000012
【図８】
0004783503.tif 000013
【図９】
0004783503.tif 000014
【図１０】
0004783503.tif 000015
【図１１】
0004783503.tif 000016